(57)【要約】【課題】  複数ページから成る文書を印刷する際、表紙など特定の１ページのみにＲＦＩＤ付き印刷用紙を用いることができる印刷システムなどを提供する。【解決手段】  印刷用紙に対してＲＦＩＤタグ情報を書き込むＲＦＩＤ書込手段を備えた印刷システムにおいて、給紙カセット３４〜３６、手差しトレイ３７のうちのいずれかにＲＦＩＤタグ付き印刷用紙を保持し、ＲＦＩＤタグ付きでない印刷用紙を別の給紙カセット・トレイ３４〜３７に保持しておき、複数ページから成る文書の印刷時に、異なる給紙カセット・トレイからＲＦＩＤタグ付きまたはＲＦＩＤタグ付きでない印刷用紙を供給させることにより、印刷される文書１部につき１枚のみＲＦＩＤタグ付き印刷用紙に印刷し、ＲＦＩＤ読み書き部４０によりそのＲＦＩＤタグ付き印刷用紙のＲＦＩＤタグに文書情報を書き込む構成にした。【選択図】        図１
2006103284.tif 000002
【特許請求の範囲】
【請求項１】
印刷用紙に付加されているＲＦＩＤタグに対してＲＦＩＤタグ情報を書き込むＲＦＩＤ書込手段を備えた印刷システムにおいて、複数ページから成る文書の印刷を行う場合に、印刷する文書１部につき１枚、前記ＲＦＩＤタグが付加された印刷用紙に印刷すると共に、前記ＲＦＩＤ書込手段により、前記印刷を行った印刷用紙に付加されているＲＦＩＤタグに文書情報を書き込むように制御する制御手段を備えていることを特徴とする印刷システム。
【請求項２】
請求項１記載の印刷システムにおいて、前記ＲＦＩＤタグが付加された印刷用紙と、前記ＲＦＩＤタグを付加していない印刷用紙を、夫々異なる給紙カセットに保持して、夫々の給紙カセットから印刷用紙を供給することを特徴とする印刷システム。
【請求項３】
請求項２記載の印刷システムにおいて、利用者に通知を行う通知手段を備え、前記制御手段は、前記ＲＦＩＤ書込手段により前記文書情報を前記ＲＦＩＤタグに書き込む際に、前記ＲＦＩＤタグとの通信に失敗した場合、前記印刷用紙への印刷を中止すると共に、前記ＲＦＩＤタグが付加された印刷用紙が供給されなかった旨を前記通知手段により通知することを特徴とする印刷システム。
【請求項４】
請求項２記載の印刷システムにおいて、各給紙トレイに印刷用紙があるか否かを検出する用紙検出手段を備え、前記制御手段は、前記用紙検出手段により前記給紙トレイに前記ＲＦＩＤタグが付加された印刷用紙しかないと検出されたときは、全てのページの印刷に前記ＲＦＩＤが付加された印刷用紙を供給すると共に、前記ＲＦＩＤ書込手段により前記特定のページを印刷する印刷用紙に付加されている前記ＲＦＩＤタグにのみ前記文書情報を書き込むように制御することを特徴とする印刷システム。
【請求項５】
請求項４記載の印刷システムにおいて、前記制御手段は、前記ＲＦＩＤ書込手段により、前記特定のページ以外のページを印刷する印刷用紙に付加されているＲＦＩＤタグに消去情報または無効ビットを書き込むように制御することを特徴とする印刷システム。
【請求項６】
請求項４記載の印刷システムにおいて、前記制御手段は、前記特定のページ以外のページを印刷する印刷用紙に付加されているＲＦＩＤタグを取り除くように制御することを特徴とする印刷システム。
【請求項７】
請求項２記載の印刷システムにおいて、同一の給紙カセットから給紙される印刷用紙に、前記ＲＦＩＤタグが付加された印刷用紙と、前記ＲＦＩＤタグが付加されていない印刷用紙が混在していた場合、前記制御手段は、正しくない印刷用紙については印刷を行うことなく排紙するように制御することを特徴とする印刷システム。
【請求項８】
請求項２記載の印刷システムにおいて、前記ＲＦＩＤタグが付加されていない印刷用紙を収納する給紙カセットに、前記ＲＦＩＤタグが付加された印刷用紙が混在していて、前記ＲＦＩＤタグが付加されていない印刷用紙が供給されるべきところに、前記ＲＦＩＤタグが付加された印刷用紙が供給された場合、前記制御手段は、前記ＲＦＩＤ書込手段により、前記ＲＦＩＤタグが付加された印刷用紙のＲＦＩＤタグに消去情報または無効ビットを書き込むように制御した上で、前記前記ＲＦＩＤタグが付加された印刷用紙に当該ページの内容を印刷するようにしたことを特徴とする印刷システム。
【請求項９】
請求項２記載の印刷システムにおいて、前記ＲＦＩＤタグが付加されていない印刷用紙を収納する給紙カセットに、前記ＲＦＩＤタグが付加されている印刷用紙が混在していて、前記ＲＦＩＤタグが付加されていない印刷用紙を供給するべきところに前記ＲＦＩＤタグが付加された印刷用紙が供給された場合、前記制御手段は、前記ＲＦＩＤタグが付加された印刷用紙のＲＦＩＤタグを取り除くように制御することを特徴とする印刷システム。
【発明の詳細な説明】
【技術分野】
【０００１】
本発明は、プリンタ、複写機、ファクシミリ装置など画像形成（印刷）手段を有する装置を用いた印刷システムに係り、特に、ＲＦＩＤタグ付きとタグなしの印刷用紙を用い、一部の印刷用紙にのみＲＦＩＤタグ情報を書き込むことができる印刷システムに関する。
【背景技術】
【０００２】
ＲＦＩＤ（Radio Frequency IDentification）タグを人や物などに付け、そのＲＦＩＤタグとの間でタグ情報を読み書きできるＲＦＩＤシステムでは、その読み書きを無線で行うので、非接触で人や物の個々の情報を識別することができる。
図７〜図９に示したように、ＲＦＩＤシステムは、個体管理の基となる、ＲＦＩＤタグチップ８２および無線通信の中継をする超小型のアンテナ８３から成るＲＦＩＤタグ部８１と、ＲＦＩＤタグ情報の読み取りと書き込みを行うＲＦＩＤリーダ・ライタ（ＲＦＩＤタグ読み書き部）８８から構成されている。ＲＦＩＤタグチップ８２は記憶部（メモリ）８５と通信回路を含む制御回路８６と電源整流部８７から成るＣＭＯＳチップである。アンテナ８３は特殊な線材からできており、ＲＦＩＤリーダ・ライタ８８と組み合わせて効率的な通信ができるように設計されている。
ＲＦＩＤリーダ・ライタ８８は、送受信制御回路（ＲＦモジュール）を含む制御回路８９とアンテナ９０から成り、アンテナ９０を介して、システムコントローラから渡されたデータをＩＤタグ部８１に書き込んだり、ＩＤタグ部８１から得たデータをシステムコントローラに渡したりする。
ＲＦＩＤシステムは、こうした基本アイテムと、その他さまざまなアクセサリを組み合わせることによって、それぞれの現場にあったシステム構築を行うことができる。
特許文献１に示された従来技術では、ＲＦＩＤタグ付きの印刷用紙を用いるとともに、プリンタ機能およびファクシミリ機能を有する複写機に原稿用のＲＦＩＤリーダ・ライタおよび印刷用紙用のＲＦＩＤリーダ・ライタを設け、パーソナルコンピュータなど外部装置から送信されてきた文字データやグラフィックデータなどに基づいて印刷用紙に視認情報（印刷内容）を印刷するとともに、用紙上にデジタルデータとして記録しておくべきデータはＲＦＩＤタグに書き込む。
【特許文献１】特開２００２−３３７４２６公報
【発明の開示】
【発明が解決しようとする課題】
【０００３】
しかしながら、従来技術では、複数ページから成る文書を印刷する際、表紙など特定の１ページのみにＲＦＩＤ付き印刷用紙を用いるといったことができなかったし、全てのページにＲＦＩＤ付き印刷用紙を用いざるを得ない場合でも、表紙など特定の１ページのみにＲＦＩＤタグ情報を書き込むことができなかった。
本発明の目的は、このような従来技術の問題を解決しようとするものであり、具体的には、複数ページから成る文書を印刷する際、表紙など特定の１ページのみにＲＦＩＤ付き印刷用紙を用いたり、全てのページにＲＦＩＤ付き印刷用紙を用いざるを得ない場合でも表紙など特定の１ページのみに文書情報などＲＦＩＤタグ情報を書き込んだりできる印刷システムを提供することにある。
【課題を解決するための手段】
【０００４】
前記した課題を解決するために、請求項１記載の発明は、印刷用紙に付加されているＲＦＩＤタグに対してＲＦＩＤタグ情報を書き込むＲＦＩＤ書込手段を備えた印刷システムにおいて、複数ページから成る文書の印刷を行う場合に、印刷する文書１部につき１枚、前記ＲＦＩＤタグが付加された印刷用紙に印刷すると共に、前記ＲＦＩＤ書込手段により、前記印刷を行った印刷用紙に付加されているＲＦＩＤタグに文書情報を書き込むように制御する制御手段を備えていることを特徴とする。
また、請求項２記載の発明は、請求項１記載の印刷システムにおいて、前記ＲＦＩＤタグが付加された印刷用紙と、前記ＲＦＩＤタグを付加していない印刷用紙を、夫々異なる給紙カセットに保持して、夫々の給紙カセットから印刷用紙を供給することを特徴とする。
また、請求項３記載の発明は、請求項２記載の印刷システムにおいて、利用者に通知を行う通知手段を備え、前記制御手段は、前記ＲＦＩＤ書込手段により前記文書情報を前記ＲＦＩＤタグに書き込む際に、前記ＲＦＩＤタグとの通信に失敗した場合、印刷用紙への印刷を中止すると共に、前記ＲＦＩＤタグが付加された印刷用紙が供給されなかった旨を前記通知手段により通知することを特徴とする。
また、請求項４記載の発明は、請求項２記載の印刷システムにおいて、各給紙トレイに印刷用紙があるか否かを検出する用紙検出手段を備え、前記制御手段は、前記用紙検出手段により前記給紙トレイに前記ＲＦＩＤタグが付加された印刷用紙しかないと検出されたときは、全てのページの印刷に前記ＲＦＩＤが付加された印刷用紙を供給すると共に、前記ＲＦＩＤ書込手段により前記特定のページを印刷する印刷用紙に付加されている前記ＲＦＩＤタグにのみ前記文書情報を書き込むように制御することを特徴とする。
【０００５】
また、請求項５記載の発明は、請求項４記載の印刷システムにおいて、前記制御手段は、前記ＲＦＩＤ書込手段により、前記特定のページ以外のページを印刷する印刷用紙に付加されているＲＦＩＤタグに消去情報または無効ビットを書き込むように制御することを特徴とする。
また、請求項６記載の発明は、請求項４記載の印刷システムにおいて、前記制御手段は、前記特定のページ以外のページを印刷する印刷用紙に付加されているＲＦＩＤタグを取り除くように制御することを特徴とする。
また、請求項７記載の発明は、請求項２記載の印刷システムにおいて、同一の給紙カセットから給紙される印刷用紙に、前記ＲＦＩＤタグが付加された印刷用紙と、前記ＲＦＩＤタグが付加されていない印刷用紙が混在していた場合、前記制御手段は、正しくない印刷用紙については印刷を行うことなく排紙するように制御することを特徴とする。
また、請求項８記載の発明は、請求項２記載の印刷システムにおいて、前記ＲＦＩＤタグが付加されていない印刷用紙を収納する給紙カセットに、前記ＲＦＩＤタグが付加された印刷用紙が混在していて、前記ＲＦＩＤタグが付加されていない印刷用紙が供給されるべきところに、前記ＲＦＩＤタグが付加された印刷用紙が供給された場合、前記制御手段は、前記ＲＦＩＤ書込手段により、前記ＲＦＩＤタグが付加された印刷用紙のＲＦＩＤタグに消去情報または無効ビットを書き込むように制御した上で、前記前記ＲＦＩＤタグが付加された印刷用紙に当該ページの内容を印刷するようにしたことを特徴とする。
また、請求項９記載の発明は、請求項２記載の印刷システムにおいて、前記ＲＦＩＤタグが付加されていない印刷用紙を収納する給紙カセットに、前記ＲＦＩＤタグが付加されている印刷用紙が混在していて、前記ＲＦＩＤタグが付加されていない印刷用紙を供給するべきところに前記ＲＦＩＤタグが付加された印刷用紙が供給された場合、前記制御手段は、前記ＲＦＩＤタグが付加された印刷用紙のＲＦＩＤタグを取り除くように制御することを特徴とする。
【発明の効果】
【０００６】
本発明によれば、請求項１記載の発明では、複数ページから成る文書の印刷時に、印刷される文書１部につき１枚のみＲＦＩＤタグが付加された印刷用紙に印刷し、そのＲＦＩＤタグが付加された印刷用紙のＲＦＩＤタグに文書情報を書き込むことができるので、全ての印刷用紙にＲＦＩＤタグ付きを用いる場合に比べて印刷用紙のコストダウンを図れるし、余分なＲＦＩＤタグを持たないので、利用者に余分なＲＦＩＤタグ情報を確認する無駄な作業をさせないで済む。
また、請求項２記載の発明では、請求項１記載の発明において、ＲＦＩＤタグが付加された印刷用紙とそうでない印刷用紙を別の給紙カセットに保持して、その別の給紙カセットからそれぞれの印刷用紙を供給できるので、請求項１記載の発明を容易に実現できる。
また、請求項３記載の発明では、請求項２記載の発明において、文書情報をＲＦＩＤタグ部に書き込むべきときにそのＲＦＩＤタグ部との通信に失敗した場合、印刷を中止するとともに、ＲＦＩＤタグが付加された印刷用紙が供給されなかった旨を利用者に通知することができるので、文書情報がＲＦＩＤタグ部に書き込まれない文書の出力を防止できるし、利用者はなぜ印刷が中止されたのかを知ることができる。
また、請求項４記載の発明では、請求項２記載の発明において、ＲＦＩＤタグが付加された印刷用紙だけしかないことが検出されたとき、全てのページの印刷にＲＦＩＤ付き印刷用紙を供給するとともに、特定のページのＲＦＩＤタグにのみ文書情報を書き込むことができるので、ＲＦＩＤタグの付いていない印刷用紙がない場合でも印刷を行うことができるし、そのように全てのページにＲＦＩＤ付き印刷用紙を用いた場合でも、表紙など特定の１ページのみにＲＦＩＤタグ情報を書き込むことができ、したがって、このような場合でも印刷された文書１部に対してＲＦＩＤタグ情報が１つとなり、本来文書に１つであるべき文書情報が複数あることによる無用な誤解を回避できる。
また、請求項５記載の発明では、請求項４記載の発明において、特定のページ以外のページのＲＦＩＤタグに消去情報または無効ビットを書き込むことができるので、ＲＦＩＤタグ部に古い情報が残っていたような場合に生ずるトラブルを回避できる。
【０００７】
また、請求項６記載の発明では、請求項４記載の発明において、特定のページ以外のページのＲＦＩＤタグ部を取り除くことができるので、請求項５記載の発明と同様に、ＲＦＩＤタグ部に古い情報が残っていたような場合に生ずるトラブルを回避できる。
また、請求項７記載の発明では、請求項２記載の発明において、同一の給紙カセットから給紙される印刷用紙にＲＦＩＤタグが付加された印刷用紙とＲＦＩＤタグ付きでない印刷用紙が混在していた場合、正しくない印刷用紙については印刷を行うことなく排紙できるので、このような場合においても印刷された文書１部についてＲＦＩＤタグが付加された印刷用紙を１枚だけ持つことができる。
また、請求項８記載の発明では、請求項２記載の発明において、ＲＦＩＤタグ付きでない印刷用紙を収納する給紙カセットにＲＦＩＤタグが付加された印刷用紙が混在していて、ＲＦＩＤタグ付きでない印刷用紙が供給されるべきところをＲＦＩＤタグが付加された印刷用紙が供給された場合、その印刷用紙のＲＦＩＤタグに消去情報または無効ビットを書き込んだ上で、当該ページの内容を印刷できるので、このような場合においても印刷された文書１部に対して有効なＲＦＩＤタグ情報が１つとなり、本来文書に１つであるべき文書情報が複数あることによる無用な誤解を回避できる。
また、請求項９記載の発明では、請求項２記載の発明において、ＲＦＩＤタグ付きでない印刷用紙を収納する給紙カセットにＲＦＩＤタグが付加された印刷用紙が混在していて、ＲＦＩＤタグ付きでない印刷用紙が供給されるべきところをＲＦＩＤタグ付き印刷用紙が供給された場合、その印刷用紙のＲＦＩＤタグ部を取り除くことができるので、このような場合においても印刷された文書１部に対してＲＦＩＤタグ情報が１つとなり、本来文書に１つであるべき文書情報が複数あることによる無用な誤解を回避できる。
【発明を実施するための最良の形態】
【０００８】
以下、図面により本発明の実施形態を詳細に説明する。但し、この実施形態に記載される構成要素、種類、組み合わせ、形状、その相対位置などは特定的な記載がない限りこの説明の範囲をそれのみに限定する主旨ではなく、単なる説明例に過ぎない。
この実施形態の画像形成（印刷）を行う装置（以下、画像形成装置と称す）は、原稿画像を複写する複写機能、通信回線を介して画像データを送受信するファクシミリ機能、および、外部インタフェース（Ｉ／Ｆ）を介してパーソナルコンピュータなど外部装置から供給される画像データに基づいて印刷するプリンタ機能を備えた複合型デジタル複写装置（以下、複写装置と略称する）として構成される。
図１は、この複写装置の内部構造を概略的に示す断面図である。図１に示したように、この複写装置（この例では電子写真式デジタル複写装置）は、画像データに基づいて画像を形成する画像形成手段として機能する画像形成部（プリンタ部）１、および原稿画像を読み取って画像データを生成する画像読み取り手段として機能する画像読み取り部（スキャナ部）２を備えている。また、画像読み取り部２の上部には、画像読み取り部２の原稿テーブル（原稿台）５２に対して開閉可能に形成された原稿搬送手段としての原稿自動給送装置３を備えている。この原稿自動給送装置３は、原稿Ｄを原稿テーブル５２に向けて１枚ずつ給送するとともに、原稿テーブル５２に載置された原稿Ｄを原稿テーブル５２に密着させる原稿押さえとしても機能する。
【０００９】
画像読み取り部２は、閉じた状態にある原稿自動給送装置３に対向しており、原稿Ｄがセットされる透明なガラスからなる原稿テーブル５２、および原稿テーブル５２の一端に配置され、原稿テーブル５２に原稿Ｄをセットすべき位置を示す原稿スケール５３を備えている。また、原稿テーブル５２の下方には、原稿テーブル５２に載置された原稿Ｄを照明する露光ランプ５４、その露光ランプ５４からの光ビームを原稿Ｄに集光させるための補助反射板５８、および原稿Ｄからの反射ビームを図中左方向に折り曲げる第１ミラー５６などが配置されている。露光ランプ５４、補助反射板５８、および第１ミラー５６は、第１キャリッジ５７に固定されており、第１キャリッジ５７の移動にともなって原稿テーブル５２と平行に移動可能に配置されている。なお、第１キャリッジ５７は、図示しない歯付きベルトなどを介して図示しないパルスモータの駆動力が伝達されて、原稿テーブル５２に沿って平行に移動する。
原稿テーブル５２の図中左方、つまり第１ミラー５６により反射された反射ビームが案内される方向には、第２キャリッジ５９が配設されている。第２キャリッジ５９には、第１ミラー５６により案内される原稿Ｄからの反射ビームを下方に折曲げる第２ミラー６０、および図中右方に折り曲げる第３ミラー６１が互いに直角に配置されている。第２キャリッジ５９は、第１キャリッジ５７を駆動する図示しない歯付きベルトなどにより第１キャリッジ５７に従動し、第１キャリッジ５７に対して１／２の速度で原稿テーブル５２に沿って平行に移動する。
【００１０】
第１キャリッジ５７の下方であって、第２キャリッジ５９を介して折返されたビームの光軸を含む面内には、第２キャリッジ５９からの反射ビームを所定の倍率で結像させる結像レンズ６２、および結像レンズ６２により集束性が与えられた反射ビームを電気信号つまり画像データに変換する複数のＣＣＤイメージセンサからなるラインセンサ６３が配置されている。なお、ここでは、ラインセンサ６３における複数のＣＣＤイメージセンサが配列されている方向を主走査方向とし、第１キャリッジ５７および第２キャリッジ５９が移動する方向を副走査方向とする。
一方、画像形成部１では、その画像メモリに記憶された画像データを用いて画像を形成し出力する。つまり、感光体ドラム１２を矢示方向に回転させると同時に、除電ランプ（ＱＬ）１６、転写前除電ランプ（ＰＴＬ）１７、転写チャージャ１８、分離チャージャ１９、イレーサ２０、およびクリーニングユニット２１を駆動して、感光体ドラム１２上に付着した残留トナーを取り除き、また、除電ランプ１６を通過した後の感光体ドラム１２の表面電位がほぼゼロになるようにする。
その後、感光体ドラム１２の表面を帯電チャージャ１３により一様に帯電すると共に、画像メモリに記憶された画像データを読み出して、それに応じて図示しない半導体レーザからレーザ光を射出させる。半導体レーザから射出されるレーザ光は、図示しないシリンダレンズによって集光されて回転走査するポリゴンミラー（レーザ光発生器）２２に入射し、その反射光が光学系（レンズ）２３およびミラー２４を介して感光体ドラム１２の表面を照射して静電潜像を形成する。
【００１１】
次いで、感光体ドラム１２上の非画像部（画像作成領域からはみ出した不要部分）の電荷をイレーサ２０によって除去した後、感光体ドラム１２上に形成された潜像を、黒現像ユニット１４またはカラー現像ユニット１５によりトナーを付着して可視像化する。なお、このとき、現像バイアス電位を変化させることにより、画像の濃淡を調整することができる。
他方、図示しないメインモータの駆動を選択的に取り出す給紙クラッチのオンにより呼び出しコロ２５および３個の給紙コロ２６のいずれかを駆動し、予め選択された給紙カセットにセットされている転写紙（印刷用紙）を停止中のレジストローラ対２７に向けて給紙させる。レジストローラ対２７の手前にはレジストセンサ２８が配設されており（そのレジストセンサ２８は例えば反射型フォトセンサである）、その対向位置に転写紙の先端が到達するとオン状態になる。それから、所定時間経過後に給紙クラッチをオフ状態に戻して、搬送中の転写紙を停止させる。なお、給紙クラッチのオフ・タイミングはレジストセンサ２８とレジストローラ対２７の間を転写紙が搬送される時間より長くとられている。したがって、その転写紙は先端がレジストローラ対２７に付き当てられ、先端側にたわみを生じてスキューなどを防止する状態で待機する。
その後、感光体ドラム１２上の画像先端に合わせたタイミングでレジストクラッチをオン状態にし、それによってレジストローラ対２７が回転駆動されることにより、待機中の転写紙を転写部へ向けて再搬送する。
【００１２】
こうして、転写紙が転写部に到達すると、転写チャージャ１８の作用によって感光体ドラム１２上のトナー像をその紙面上に転写し、続いて転写チャージャ１８と一体に保持されている分離チャージャ１９の作用によって紙面上の帯電電位を下げて転写紙と感光体ドラム１２との密着力を低下させた後、分離爪２９によってその転写紙を感光体面から分離する。
続いて、その転写紙を２個のローラで張装された搬送ベルト３０によって定着部へ送り、その定着ローラ３１によってトナー像を熱定着し、その後コピーモードとして片面モードが選択されていれば切替爪３２の上側を通して外部の排紙トレイ７９に排紙し、両面モードが選択されていれば切替爪３２の切り替えによって下側の再給紙用搬送経路３３ヘ送り込む。
また、この複写装置には、用紙サイズごとにまとめて、またはＲＦＩＤタグ付き転写紙（印刷用紙）とタグ付きでない転写紙とを別々に収納できる通常の給紙カセットとして３つの給紙カセット３４〜３６を着脱可能に備え、また、そのいずれの給紙カセットにも収納されていない転写紙、つまり不特定サイズの転写紙またはＲＦＩＤタグ付き転写紙（印刷用紙）をセットできる手差しテーブル（手差しトレイ）３７も備えている。そして、各給紙カセット３４〜３６のいずれかに収納されている転写紙を用いてコピーする場合は、そのカセットサイズを図示しない操作パネル上のサイズ選択キーによって選択した後、コピースタートキーを押下することにより、その給紙カセットから転写紙を給紙する。なお、給紙カセット３４〜３６のいずれか、または手差しテーブル３７から給紙された用紙がレジスト位置に到達する前位置に、ＲＦＩＤ読み書き部４０（図９参照）を配置し、印刷用紙（転写紙）に付したＲＦＩＤタグ部との間で通信を行う。
【００１３】
図２は複写装置本体の前面上部に設けられている、様々な複写条件および複写動作を開始させる複写開始信号などを入力する操作パネル２００の平面図である。この操作パネル２００には、複写機能を実行するための複写モードを設定する複写ボタン２０２、ファクシミリ機能を実行するためのファクシミリモードを設定するＦＡＸボタン２０４、およびプリンタ機能を実行するためのプリンタモードを設定するプリンタボタン２０６が設けられている。
また、操作パネル２００には、複写モードにおいて複写枚数など数値を入力するためのテンキー２０８、給紙カセットをＲＦＩＤ付きかそうでないかで区別するモードに設定するＲＦＩＤモードキー２０９、複写の開始を指示するコピースタートボタン２１０、複写枚数を訂正するときや複写動作を停止させるときなどに使用されるクリア／ストップボタン２１２、選択したモードや設定した条件などを全てクリアするオールクリアボタン２１４、複写倍率を設定するための倍率設定ボタン２１６などが設けられている。なお、コピースタートボタン２１０は、原稿給紙台６５にセットされた原稿の読み取り開始を指示するとともに、画像データに基づいた画像の形成を指示する入力手段として機能する。
さらに、操作パネル２００には、画像を形成したい用紙のサイズを選択設定するための用紙サイズボタン２１８、原稿テーブル５２に載置された原稿のサイズを検知して自動的に用紙サイズを設定する自動用紙選択ボタン２２０、原稿サイズを設定するための原稿サイズボタン２２２、用紙サイズボタン２１８によって設定された用紙サイズと検知した原稿サイズとに基づいて自動的に複写倍率を設定する自動倍率選択ボタン２２４、設定されたモードの内容や操作手順などの案内情報を表示させる操作ガイドボタン２２６、予熱状態を設定する予熱ボタン２２８、画像形成部１の動作中に割り込みを指示する割り込みボタン２３０などが設けられている。
また、この操作パネル２００のほぼ中央には、装置の状態、操作手順、および利用者に対して各種のメッセージを文字や図形で表示する通知手段として機能するタッチパネル式の液晶表示装置（ＬＣＤ）により構成された表示パネル２４０が設けられている。この表示パネル２４０は機能毎にその操作を画面に表示する。
このような構成で、基本操作では、通常の複写動作、つまり原稿画像を読み取って原稿画像に対応した画像である正像を印刷用紙上に形成する第１画像形成モードが実行される。編集操作では、特殊な複写動作、つまり原稿画像を読み取って原稿画像を副走査方向に反転させた画像である鏡像を印刷用紙上に形成する第２画像形成モードなどを設定することもできる。
【００１４】
図３はこの複写装置の制御部の主として画像処理に係る部分の概略を示す構成ブロック図である。図示したように、ビデオ処理回路１０１、画像処理回路１０２、ビデオ書き込み処理回路１０３、ＬＤ制御部１０４、ＣＰＵ１０５、ＲＯＭ１０６、ＲＡＭ１０７、画像メモリ１０８、操作パネル制御部１０９、ＲＦＩＤインタフェース部１１０などを備えている。
ビデオ処理回路１０１は、画像読み取り部２により読み取った画像データ（図３に示したＣＣＤイメージセンサ１００から出力される信号）をＡ／Ｄ変換して黒オフセット補正、シェーディング補正、画素位置補正などを行う。画像処理回路１０２は、図４に示したように色分離回路１２０、ＭＴＦ補正回路１２１、変倍回路１２２、γ補正回路１２３、および画質処理回路１２４から成り、それらによってビデオ処理回路１０１から入力される画像データに対して画像処理を施す。
【００１５】
ビデオ書き込み処理回路１０３は画像処理回路１０２から入力される画像データに応じて画像形成部１の制御を行う。ＬＤ制御部１０４は、ビデオ書き込み処理回路１０３からのビデオ信号に応じてレーザダイオード（ＬＤ）１１２の発光制御を行う。
また、ＣＰＵ１０５はＲＯＭ１０６内の制御プログラムに従ってこの複写装置全体を統括的に制御する。ＲＯＭ１０６は、ＣＰＵ１０５を動作させるための制御プログラムを含む各種固定データを格納した読み出し専用のメモリである。ＲＡＭ１０７は、ＣＰＵ１０５がデータ処理の際に一次的に使用する読み書き可能なメモリである。画像メモリ１０８は、画像処理回路１０２から送られてくる画像データを記憶する読み書き可能なメモリである。操作パネル制御部１０９は前記した操作パネル２００を制御する。ＲＦＩＤインタフェース部１１０はＲＦＩＤ読み書き部４０などとのデータ授受を行う。
前記したような構成で、ＣＣＤイメージセンサ１００によって読み取られたＲ、Ｇ、Ｂの画像信号はビデオ処理回路１０１において適正なゲインを与えられ、Ａ／Ｄ変換された後、黒オフセット補正、シェーディング補正、画素位置補正が行われ、所定のクロックに同期した８ビットのデジタルデータである赤画像データＲＤＴ０〜７、緑画像データＧＤＴ０〜７、青画像データＢＤＴ０〜７として出力される。
ここで、黒オフセット補正とはＣＣＤイメージセンサ１００の暗電流の黒レベルを画像データから減算する補正である。シェーディング補正とは、主走査方向の露光ランプ５４の光量むらやＣＣＤイメージセンサ１００の各色用ＣＣＤの画素間の感度差によるむらを除くため、原稿走査開始前に濃度の均一な白板を読み取ってそのデータを画素ごとに記憶し、原稿読み取り中の画像データを記憶した画素ごとの白板のデータで除算することにより補正を行うものである。画素位置補正とは、ＣＣＤイメージセンサ１００として３ラインのものを用いた場合、副走査方向の画素の位置ずれがあるので、それを補正するものである。
【００１６】
次に、画像処理回路１０２について図４を用いてさらに詳細に説明する。
画像処理回路１０２では、まず色分離回路１２０において、入力されたＲＧＢの画像データＲＤＴ０〜７、ＧＤＴ０〜７、ＢＤＴ０〜７から黒画像データＢＬＫＤＴ０〜７が分離され、さらに、ＭＴＦ補正回路１２１において、その画像データＢＬＫＤＴ０〜７に対してＭＴＦ補正を施し、変倍回路１２２において主走査方向の変倍を行い、γ補正回路１２３においてγ補正を行い、画質処理回路１２４においてディザや誤差拡散などの画質処理を行う。なお、ＭＴＦ補正とは光学的な周波数特性の劣化などを２次元の空間フィルタで補正するものである。こうして、各種の補正がなされた黒画像データＢＬＫＤＴ０〜７は図３に示した画像メモリ１０８に記憶される。
画像データＢＬＫＤＴ０〜７はビデオ書き込み処理回路１０３にも送られ、そこで画像形成部１の書き込み速度に対応できるビデオ信号に変換され、ＬＤ制御部１０４に入力され、その画像信号に応じてレーザダイオード１１２に与える電流のパルス幅や電流の量を制御し、図１に示した感光体ドラム１２上に光書き込みを行って静電潜像を形成する。
なお、画像処理回路１０２はＣＰＵ１０５とアドレスバスおよびデータバスを共有しており、これを介して通信が行われる。ＣＰＵ１０５は画像形成部１や画像読み取り部２のモータ制御、各種クラッチやソレノイドの制御も行っている。
図１に戻って、原稿自動給送装置３は、自身の後端縁部が複写装置の上面後端縁部に図示しないヒンジ装置を介して取付けられたカバー６４を有し、必要に応じて原稿自動給送装置３全体を回動させることで、既に説明したように、原稿テーブル５２に対して開閉可能に形成されている。カバー６４の上面のやや左方向部位には、所定枚数、例えば５０枚の原稿Ｄを保持することが可能な原稿給紙台６５が設けられている。原稿給紙台６５の図中左方つまり原稿自動給送装置３の一端側には、原稿給紙台６５にセットされた原稿Ｄを順次１枚ずつ取り出すとともに、図中左端側から原稿テーブル５２の一端側に供給するためのピックアップローラ６７が配置されている。
【００１７】
原稿給紙台６５の所定の位置には、原稿給紙台６５に原稿Ｄがセットされたか否かを検知する原稿検知センサとしてエンプテイセンサ６６が配設されている。また、ピックアップローラ６７の原稿取り出し方向には、ピックアップローラ６７により取り出された原稿Ｄを原稿テーブル５２に向けて送出する給紙ローラ６８、および給紙ローラ６８により給送された原稿Ｄの先端を整位するアライニングローラ６９が配置されている。
アライニングローラ６９と給紙ローラ６８との間には、原稿Ｄのアライニングローラ６９への到達を検出するアライニングセンサ７０が配置されている。カバー６４の内側であって、原稿自動給送装置３が閉じられた状態で原稿テーブル５２と対向する位置には、ピックアップローラ６７、給紙ローラ６８およびアライニングローラ６９を介して原稿給紙台６５から搬送された原稿Ｄを原稿テーブル５２の所定の位置に搬送する搬送ベルト７１が配置されている。搬送ベルト７１は、図中左右一対に配置されたベルトローラ７２に掛け渡され、図示しないベルト駆動機構により図中右側および図中左側の両方向に向けて回転する。
また、原稿自動給送装置３の右側部位には、搬送ベルト７１により図中左側から図中右側に移動する原稿Ｄをカバー６４の外側に向けて送出する反転ローラ７３、その反転ローラ７３に原稿Ｄを押し付けるピンチローラ７４、反転ローラ７３とピンチローラ７４により搬送される原稿Ｄを、再び搬送ベルト７１へ戻すか所定の排出位置つまりカバー６４上に排出させるかを切り換えるフラッパ７５、そのフラッパ７５が排出側に切り換えられている場合に、反転ローラ７３により搬送された原稿Ｄを排出させる排紙ローラ７６、および反転ローラ７３の近傍における原稿のジャムを検知するジャムセンサ７７などが配置されている。
また、原稿自動給送装置３内の原稿搬送経路上にはＲＦＩＤタグ読み取り部８０が配置され、原稿搬送中に原稿用紙に付したＲＦＩＤタグとの間で通信を行う。
【００１８】
以下、これまで説明してきた実施形態の複写装置を用いた本発明の各実施例を説明する。なお、この複写装置はネットワークに接続されていて、パーソナルコンピュータなど外部装置から端末装置として用いることができる。
［実施例１］
図５に、実施例１の動作フローを示す。以下、図５に従ってこの実施例の動作フローを説明する。なお、この実施例１では、ＲＦＩＤ書込手段がＲＦＩＤタグ読み書き部４０により実現される。
まず、本実施形態の複写装置に電源を投入する（Ｓ１）。これにより、図３に示したＲＯＭ１０６に記憶されているプログラムに従い、ＣＰＵ１０５が初期化（初期設定など）を行い（Ｓ２）、その初期設定のモードで印刷要求の発生を待つ待機状態となる（Ｓ３→Ｓ４でＮＯ→Ｓ３）。そして、この状態にあるとき、利用者が外部装置から印刷要求を行うと（Ｓ４でＹＥＳ）、ＲＦＩＤモードに設定されている場合、ＣＰＵ１０５は印刷動作開始にあたり原稿サイズや変倍率に合わせ、まずは表紙用として給紙カセット３４〜３６、手差しテーブル３７のうちの該当する収納部からＲＦＩＤタグ付き印刷用紙を給紙させる（Ｓ５）。なお、原稿をこの複写装置の原稿給紙台６５に載せて利用者が操作パネル２００から印刷要求を行ってもよい。
こうして、給紙された印刷用紙がレジスト位置の直前の位置に達すると、ＲＦＩＤ読み書き部４０が印刷用紙に付加されているＲＦＩＤタグ部と通信するためのポーリングを開始する（Ｓ６）。そして、そのＲＦＩＤタグ部との通信に成功すると（Ｓ７でＹＥＳ）、ＣＰＵ１０５はＲＦＩＤ読み書き部４０に文書情報を渡し、ＲＦＩＤ読み書き部４０が給紙された印刷用紙のＲＦＩＤタグ部にその文書情報を書き込む（Ｓ８）。
続いて、ＣＰＵ１０５は表紙について通常の複写動作を行わせ（Ｓ９）、次に、２ページ以降の印刷のためにＲＦＩＤタグ付きでない印刷用紙を供給させる（Ｓ１０）。さらに、２ページ以降の印刷用紙に対して通常の複写動作を行わせ（Ｓ１１）、最後に、表示パネル２４０に印刷終了を表示させ（Ｓ１２）、一連の動作を終了する。
一方、ＲＦＩＤタグ部との通信に失敗した場合は（Ｓ７でＮＯ）、例えば給紙された印刷用紙にＲＦＩＤタグ部が付加されていないと判断し、ＣＰＵ１０５は印刷を行わずに排紙させ（Ｓ１３）、表示パネル２４０にＲＦＩＤタグ部との通信不可を示す警告を表示し（Ｓ１４）、この動作フローを終了する。
従って、このような実施例１によれば、複数ページから成る文書を印刷する際、表紙など特定の１ページのみにＲＦＩＤ付き印刷用紙を用いることができるので、印刷用紙のコストダウンを図れる。
【００１９】
［実施例２］
実施例２では、上記した実施例１において、各給紙トレイに印刷用紙があるか否かを検出する用紙検出手段を備え、その用紙検出手段によりＲＦＩＤタグ付き印刷用紙だけしかないことが検出されたときには全てのページの印刷にＲＦＩＤ付き印刷用紙を供給するようにして、２ページ以降の印刷の際にもＲＦＩＤタグ部との通信を試み、通信が成功する場合には、対応処置としてＲＦＩＤタグ部のタグ情報を消去するか、タグ情報中に無効ビットを書き込む。以下、図６に従って、この実施例の動作フローを説明する。
まず、本実施形態の複写装置に電源を投入する（Ｓ２１）。これにより、上記同様、ＲＯＭ１０６に記憶されているプログラムに従い、ＣＰＵ１０５が初期化（初期設定など）を行い（Ｓ２２）、その初期設定のモードで印刷要求の発生を待つ待機状態となる（Ｓ２３→Ｓ２４でＮＯ→Ｓ２３）。そして、この状態にあるとき、利用者が外部装置から印刷要求を行うと（Ｓ２４でＹＥＳ）、ＣＰＵ１０５は印刷動作開始にあたり原稿サイズや変倍率に合わせ、まずは表紙用として給紙カセット３４〜３６、手差しテーブル３７のうちの該当する収納部からＲＦＩＤタグ付き印刷用紙を給紙させる（Ｓ２５）。なお、原稿をこの複写装置の原稿給紙台６５に載せて利用者が操作パネル２００から印刷要求を行ってもよい。
こうして、給紙された印刷用紙がレジスト位置の直前の位置に達すると、ＲＦＩＤ読み書き部４０が印刷用紙に付加されているＲＦＩＤタグ部と通信するためのポーリングを開始する（Ｓ２６）。そして、ＲＦＩＤタグ部との通信に失敗した場合（Ｓ２７でＮＯ）、ＣＰＵ１０５は例えば給紙された印刷用紙にＲＦＩＤタグ部が付加されていないと判断し、印刷を行わずに排紙させ（Ｓ２８）、表示パネル２４０にＲＦＩＤタグ部との通信不可を示す警告を表示し（Ｓ２９）、この動作フローを終了する。
一方、ＲＦＩＤタグ部との通信に成功すると（Ｓ２７でＹＥＳ）、ＣＰＵ１０５はＲＦＩＤ読み書き部４０に文書情報を渡し、ＲＦＩＤ読み書き部４０が給紙された印刷用紙のＲＦＩＤタグ部にその文書情報を書き込む（Ｓ３１）。さらに、ＣＰＵ１０５は表紙について通常の複写動作を行わせる（Ｓ３２）。
【００２０】
次に、２ページ以降の印刷のために収納状況にあわせてＲＡＩＤタグ付きまたはタグ付きでない印刷用紙を供給させ（Ｓ３３）、印刷用紙が前記した位置まで来ると、ＲＦＩＤタグ部と通信するためのポーリングを開始する（Ｓ３４）。そして、ＲＦＩＤタグ部との通信に成功した場合（Ｓ３５でＹＥＳ）、ＣＰＵ１０５はＲＦＩＤタグ付き印刷用紙が供給されたと判断し、ＲＦＩＤタグ部のタグ情報を消去するか、タグ情報中に無効ビットを書き込む（Ｓ３６）。
続いて、２ページ以降の印刷用紙に対して通常の複写動作を行わせ（Ｓ３７）、全ページ分の印刷が終了したかどうかを判定し（Ｓ３８）、終了していなければ（Ｓ３８でＮＯ）、ステップＳ３３から繰り返す。そして、全ページ分の印刷が終了すると（Ｓ３８でＹＥＳ）、表示パネル２４０に印刷終了を表示させ（Ｓ３９）、一連の動作を終了する。
従って、このような実施例２によれば、全てのページにＲＦＩＤ付き印刷用紙を用いざるを得ないような場合でも、表紙など特定の１ページのみにＲＦＩＤタグ情報を書き込むことができるので、印刷された文書１部に対してＲＦＩＤタグ情報が１つとなり、本来文書に１つであるべき文書情報が複数あることによる無用な誤解を回避できる。また、特定ページ以外のページのＲＦＩＤタグ部のタグ情報を消去するか、タグ情報中に無効ビットを書き込む構成では、ＲＦＩＤタグ部に古い情報が残っていたような場合に生ずるトラブルを回避できる。
【００２１】
［実施例３］
実施例３では、特定ページ以外のページに付加されているＲＦＩＤタグ部の対応処置としてＲＦＩＤタグ部を取り除く（取り外す）。ここでいう“取り除く”作業とは、例えばパンチユニットなどにより印刷用紙のＲＦＩＤタグ部を物理的に切除することである。印刷用紙搬送路中のＲＦＩＤ読み書き部４０の後行程にパンチユニットとその駆動手段を設け、ＣＰＵ１０５が駆動手段を構成している駆動回路に駆動信号を出すことにより印刷用紙のＲＦＩＤタグ部を物理的に切除するのである。従って、このような実施例３においても、上記実施例２と同様の効果を得ることができる。
［実施例４］
実施例４では、上記実施例１において、同一の給紙カセットから給紙される印刷用紙にＲＦＩＤタグ付きとそうでない物が混在していた場合、正しくない印刷用紙については印刷を行うことなく排紙する。例えば、表紙を印刷する場合には、ＲＦＩＤタグ付き印刷用紙が収納されている給紙カセットから印刷用紙を供給するが、その印刷用紙に対してＲＦＩＤ通信を試みて失敗したならば、この印刷用紙に対しては印刷を行うことなく排紙し、以後、同じ給紙カセットから再度印刷用紙を供給する動作以降を、ＲＦＩＤ通信に成功するまで繰り返し、成功したら表紙の印刷を行う。
同様に、表紙以外のページを印刷する場合には、ＲＦＩＤタグ付きでない印刷用紙が収納されている給紙カセットから印刷用紙を供給し、その印刷用紙に対してＲＦＩＤ通信を試みて成功したならば、この印刷用紙に対しては印刷を行うことなく排紙し、以後、同じ給紙カセットから再度印刷用紙を供給する動作以降を、ＲＦＩＤ通信に失敗するまで繰り返し、失敗したら当該ページの印刷を行う。
従って、このような実施例４によれば、給紙カセットに正しくない印刷用紙が混在していても、文書の特定のページのみにＲＦＩＤタグ情報を書き込むことができる。
【００２２】
［実施例５］
実施例５では、上記実施例１において、ＲＦＩＤタグ付きでない印刷用紙を収納する給紙カセットにＲＦＩＤタグ付き印刷用紙が混在していて、ＲＦＩＤタグ付きでない印刷用紙が供給されるべきところをＲＦＩＤタグ付き印刷用紙が供給された場合、実施例２と同様にして、その印刷用紙のＲＦＩＤタグに消去情報または無効ビットを書き込んだ上で、当該ページの内容を印刷する。
従って、このような実施例５によれば、ＲＦＩＤタグ付きでない印刷用紙を収納する給紙カセットにＲＦＩＤタグ付き印刷用紙が混在していても、文書の特定のページのみにＲＦＩＤタグ情報を書き込むことができるし、ＲＦＩＤタグ部に古い情報が残っていたような場合に生ずるトラブルを回避できる。
［実施例６］
実施例６では、上記実施例１において、ＲＦＩＤタグ付きでない印刷用紙を収納する給紙カセットにＲＦＩＤタグ付き印刷用紙が混在していて、ＲＦＩＤタグ付きでない印刷用紙が供給されるべきところをＲＦＩＤタグ付き印刷用紙が供給された場合、実施例３と同様にして、その印刷用紙のＲＦＩＤタグ部を取り除いた上で、当該ページの内容を印刷する。
従って、このような実施例６においても、上記実施例５と同様に、ＲＦＩＤタグ付きでない印刷用紙を収納する給紙カセットにＲＦＩＤタグ付き印刷用紙が混在していても、文書の特定のページのみにＲＦＩＤタグ情報を書き込むことができるし、ＲＦＩＤタグ部に古い情報が残っていたような場合に生ずるトラブルを回避できる。
【図面の簡単な説明】
【００２３】
【図１】本発明の実施形態に係る複写装置の概略構成図。
【図２】本発明の実施形態に係る複写装置要部の平面図。
【図３】本発明の実施形態に係る複写装置の制御系の構成ブロック図。
【図４】本発明の実施形態を係る複写装置制御系要部の詳細ブロック図。
【図５】本発明の実施形態に係る複写装置の実施例１の動作を示す動作フロー図。
【図６】本発明の実施形態に係る複写装置の実施例２の動作を示す動作フロー図。
【図７】ＲＦＩＤタグ付き印刷用紙の一例を示した図。
【図８】ＲＦＩＤタグ部の構成例を示した図。
【図９】ＲＦＩＤリーダ・ライタの構成例を示した図。
【符号の説明】
【００２４】
１  画像形成部、２  画像読み取り部、３４〜３６  給紙カセット、４０  ＲＦＩＤタグ読み書き部、１０５  ＣＰＵ、２００  操作パネル
【図１】
2006103284.tif 000003
【図２】
2006103284.tif 000004
【図３】
2006103284.tif 000005
【図４】
2006103284.tif 000006
【図５】
2006103284.tif 000007
【図６】
2006103284.tif 000008
【図７】
2006103284.tif 000009
【図８】
2006103284.tif 000010
【図９】
2006103284.tif 000011